(57)【要約】  本発明は、会陰部と肛門部位を同時に振動マッサージすることのできる、局所按摩装置並びに局所按摩装置を備える椅子及びマットを提供するものである。すなわち、本発明に係る局所按摩装置は、支え板（１２）と、支え板（１２）の上側に設けられ、弾性素材で構成される、複数個の支持部材（１７０）と、支持部材（１７０）の上側に設けられる振動板（１６０）と、振動板（１６０）の上部において前後に位置移動可能に設けられる按摩パッド（１１０）と、按摩パッド（１１０）を振動させるために振動板（１６０）に連結される振動器（１２０）と、を備えることを特徴とする。本発明に係る局所按摩装置は、多様な椅子及びマットに設けられ、振動する按摩パッドの位置と高さを容易に調節することができるので、性別と身体サイズを問わず、誰でも最適な位置に按摩パッドを位置させ、効果的に按摩を受けることができる。
2020529300.tif 000002
【特許請求の範囲】
【請求項１】
支え板と、
該支え板の上側に設けられ、弾性素材で構成される、複数個の支持部材と、
該支持部材の上側に設けられる振動板と、
該振動板の上部において前後に位置移動可能に設けられる按摩パッドと、
該按摩パッドを振動させるために前記振動板に連結される振動器と、を含むことを特徴とする、
局所按摩装置。
【請求項２】
前記振動板の前後側に設けられる送りねじ支持部と、
両端が該送りねじ支持部に回転可能に設けられる送りねじと、
該送りねじを回転させるために該送りねじの一端に設けられる送りねじ回転部と、
上側には前記按摩パッドが脱着結合され、下側には前記送りねじに螺合される、送りナット部が設けられた、送り台と、をさらに含み、
前記送りねじ回転部を回転させ、前記按摩パッドの位置を調節するようにしたことを特徴とする、
請求項１に記載の局所按摩装置。
【請求項３】
前記送り台と前記按摩パッドは、一体的に構成されることを特徴とする、請求項２に記載の局所按摩装置。
【請求項４】
前記振動板の前後側には、両端が送りねじ支持部に支持され、それぞれ独立して回転するように２つの送りねじが設けられ、
該送りねじを回転させるために、各送りねじの一端には送りねじ回転部が設けられ、
前記按摩パッドは、前方マッサージ部と後方マッサージ部とに分離して構成され、
前記前方マッサージ部及び前記後方マッサージ部の下側には送りナット部が設けられ、該送りナット部を前記送りねじにそれぞれ螺合したことを特徴とする、
請求項１に記載の局所按摩装置。
【請求項５】
前記振動板の前後側には、送りねじ支持部に支持され、それぞれ独立して回転するように構成される、２つの送りねじが設けられ、
該送りねじを回転させるために、各送りねじの一端には送りねじ回転部が設けられ、
前記按摩パッドは、底面部にナットが設けられた前方マッサージ部と、底面部にナットが設けられた後方マッサージ部と、に分離され、
前方マッサージ部及び後方マッサージ部は、一側に前記送りねじ支持部が設けられた送り台の上部に結合され、
各送り台には、前記ナットに対応して結合される乗降ねじが回転可能に貫通して構成されることを特徴とする、
請求項１に記載の局所按摩装置。
【請求項６】
前記振動板の前後側には、一側端部に送り台が設けられた送りねじがそれぞれ設けられ、
前記按摩パッドは、底面部にナットが設けられた前方マッサージ部と、底面部にナットが設けられた後方マッサージ部と、に分離して構成され、
各送り台には、前記ナットに対応して結合される乗降ねじが回転可能に貫通して構成され、
前記送りねじの上には、各送り台を前後移動させるための調節ナットが結合されることを特徴とする、
請求項１に記載の局所按摩装置。
【請求項７】
前記送りねじ回転部と送りねじとの間には、ケーブルを保護用チューブ内に収納した状態で相互連結して、按摩パッドの位置を遠隔から調節するようにしたことを特徴とする、請求項２、４または５のうちいずれか一項に記載の局所按摩装置。
【請求項８】
前記按摩パッドの前方には、会陰部をマッサージするために湾曲して突出する前方マッサージ部が設けられ、
前記按摩パッド（１１０）の後方には、括約筋部位をマッサージするために湾曲して突出する後方マッサージ部が設けられることを特徴とする、
請求項１に記載の局所按摩装置。
【請求項９】
前記支持部材は、
按摩パッド側に柔らかい振動が伝えられるように、上下に設けられる結合ねじ間に円筒状の支持ゴムが結合され、
上下部の結合ねじと支持ゴムとの結合力を向上させるために、前記結合ねじの端部に形成されたねじ頭の結合面に凹凸部が形成されたことを特徴とする、
請求項１に記載の局所按摩装置。
【請求項１０】
前記按摩パッドは、前方マッサージ部と後方マッサージ部とに分離して構成され、
前記前方マッサージ部及び前記後方マッサージ部の下側にそれぞれ送りナット部が設けられ、
一つの送りナット部には、内部が中空であるスリーブねじが螺合され、
他の一つの送りナット部には、前記スリーブねじの内部を貫通して自由回転可能に結合される連結軸の一端に設けられる送りねじが螺合され、
前記連結軸の他端及び前記スリーブねじの一側には、これらを独立して回転させるための送りねじ回転部が設けられることを特徴とする、
請求項１に記載の局所按摩装置。
【請求項１１】
前記前方マッサージ部及び前記後方マッサージ部の底面部には、それぞれナットが設けられ、
前記前方マッサージ部及び後方マッサージ部は、送りナット部が下側に設けられた送り台の上部に結合され、
各送り台には、前記ナットに対応して結合される乗降ねじが回転可能に貫通して構成され、それぞれの乗降ねじを回転させ、前記前方マッサージ部及び前記後方マッサージ部が独立して乗降するようになることを特徴とする、
請求項４に記載の局所按摩装置。
【請求項１２】
請求項１に記載の局所按摩装置を備える椅子であって、
当該椅子の座板部の中心には、前記局所按摩装置が設けられ、
尻は、前記座板部の上板に支持され、局所部と直接的に接する前記按摩パッドは、前記座板部の上に突出することを特徴とする、
椅子。
【請求項１３】
請求項１に記載の局所按摩装置を備える敷きマットであって、
当該敷きマットの中心には、前記局所按摩装置が設けられ、
尻は、前記敷きマットの上板に支持され、局所部と直接的に接する按摩パッドは、前記敷きマットの上方に突出することを特徴とする、
局所按摩装置が備えられた敷きマット。
【請求項１４】
前記座板部の一側には、背中を支持する背板部が設けられ、
該背板部には、駆動力によりハンドレバーを乗降させる上半身ストレッチング部が設けられ、両手でハンドレバーを取った状態で、該ハンドレバーが乗降するとき、上半身が弛緩されるようになることを特徴とする、
請求項１２に記載の椅子。
【請求項１５】
前記背板部の下側には、アクチュエータと、
該アクチュエータに連結されて乗降作動する腰椎支持台を有する腰椎ストレッチング部と、を備え、
腰椎支持台が前進するときに、使用者の腰椎が圧迫されるようになることを特徴とする、
請求項１４に記載の椅子。
【発明の詳細な説明】
【技術分野】
【０００１】
本発明は、局所按摩装置並びに局所按摩装置を備える椅子及びマットに関し、さらに詳しくは、会陰部と肛門部位を同時に振動マッサージすることのできる、局所按摩装置並びに局所按摩装置を備える椅子及びマットに関する。
【背景技術】
【０００２】
近年、現代人は、様々な前立腺疾患と肛門疾患を患っており、これにより、日常生活に大きな不便をもたらしている。このような疾病を治療し、予防するための先行技術としては、特許文献１において、シート上部の中央部に着席者の前立腺部位を振動マッサージするための振動部を突出形成した「前立腺の振動マッサージ装置」が開示されている。
【０００３】
また他の先行技術としては、特許文献２における「振動及び発熱装置が備えられた会陰部のマッサージマット」があり、これは、発熱手段と振動モータを同時にマッサージマット内に内蔵し、深部温度を増加させ、血液循環を促進し、ストレスを解消して、健康増進に貢献するように開発された技術である。
【０００４】
しかしながら、上記した先行技術等では、振動突起の位置が固定されているので、会陰部と肛門部位を同時に正確な位置においてマッサージすることは難しいという問題点があった。
【先行技術文献】
【特許文献】
【０００５】
【特許文献１】大韓民国登録実用新案第２０−０４１３５６７号
【特許文献２】大韓民国登録特許第１０−０８３００２７号
【発明の概要】
【発明が解決しようとする課題】
【０００６】
本発明は、上記した従来技術の諸般の問題点を解決するために、新たな技術を創案したものであって、会陰部と肛門周囲を同時に振動マッサージすることができ、振動按摩パッドの位置を任意で調節可能なように構成された、局所按摩装置を提供することを目的とする。
【０００７】
また、本発明は、既存の按摩ローラの打撃と圧迫による背中、腰への按摩と一緒に、足踏み板における空気圧を用いたふくらはぎと足の周囲を揉むマッサージ機能のみを提供する按摩椅子に前記局所按摩装置を設置することにより、按摩ローラにより上半身及び下半身を按摩されるとともに、局所部にも振動按摩を受けることのできる、局所按摩装置を備える椅子を提供することを他の目的とする。
【０００８】
さらに、本発明は、一般の椅子の上または床に敷いて普遍的な活用が可能なように、中心に局所按摩装置を設置した敷きマットを提供することを更なる目的とする。
【課題を解決するための手段】
【０００９】
上記目的を達成するための具体的な手段としての本発明は、局所按摩装置を構成するが、局所按摩装置は、支え板と、支え板の上側に設けられ、弾性素材で構成される、複数個の支持部材と、支持部材の上側に設けられる振動板と、振動板の上部において前後に位置移動可能に設けられる按摩パッドと、按摩パッドを振動させるために、振動板に連結される振動器と、を備えることを特徴とする。
【００１０】
また、本発明の局所按摩装置は、振動板の前後側に設けられる送りねじ支持部と、両端が送りねじ支持部に回転可能に設置された送りねじと、送りねじを回転させるために、送りねじの一端に設けられる送りねじ回転部と、上側には前記按摩パッドが脱着結合され、下側には送りねじに螺合される送りナット部が設けられた、送り台と、をさらに備え、送りねじ回転部を回転させ、按摩パッドの位置を調節することを特徴とする。
【００１１】
また、前記振動板の前後側には、送りねじ支持部に支持され、それぞれ独立して回転するように２つの送りねじが設けられ、送りねじを回転させるために、各送りねじの一端には送りねじ回転部が設けられ、按摩パッドは、底面部にナットが設けられた前方マッサージ部と、底面部にナットが設けられた後方マッサージ部と、に分離され、前方マッサージ部と後方マッサージ部は、一側に送りねじ支持部が設けられた送り台の上部に結合され、各送り台には、ナットに対応して結合される乗降ねじが回転可能に貫通して構成されたことを特徴とする。
【００１２】
また、前記振動板の前後側には、一側端部に送り台が設けられた送りねじがそれぞれ設けられ、按摩パッドは、底面部にナットが設けられた前方マッサージ部と、底面部にナットが設けられた後方マッサージ部と、に分離して構成され、各送り台には、前記ナットに対応して結合される乗降ねじが回転可能に貫通して構成され、送りねじの上には、各送り台を前後移動させるための調節ナットが結合されたことを特徴とする。
【００１３】
前記支持部材は、按摩パッド側に柔らかい振動が伝えられるように、上下に設けられる結合ねじ間に円筒状の支持ゴムを結合し、上下部の結合ねじと支持ゴムの結合力を向上させるために、結合ねじの端部に形成されたねじ頭の結合面に凹凸部を形成したことを特徴とする。
【００１４】
上記目的を達成するための具体的な手段としての本発明は、局所按摩装置を備える椅子を構成するが、椅子は、座板部の中央位置に会陰部及び肛門部位を集中的に按摩するように、座板部の上に突出して構成される按摩パッドを振動させる局所按摩装置を設置したことを特徴とする。
【００１５】
前記座板部の一側には、背中を支持する背板部が設けられ、背板部には、駆動力によりハンドレバーを乗降させる上半身ストレッチング部が設けられ、両手でハンドレバーを取った状態で、ハンドレバーが乗降するとき、上半身が弛緩されるようにすることを特徴とする。
【００１６】
さらに、局所按摩装置を備えるマットを構成するが、敷きマットの中心には、会陰部及び肛門部位を集中的に按摩するように、敷きマットの上に突出構成される按摩パッドを振動させる局所按摩装置を設置したことを特徴とする。
【発明の効果】
【００１７】
本発明によれば、座板部に設置される局所按摩装置を用いて、身体の肛門と会陰部に、集中的な振動按摩機能を同時に与え、ストレスの解消はもとより、各種の局所部位の疾患を予防及び治療することができる。
【００１８】
また、振動する按摩パッドの位置と高さを容易に調節することができるので、性別と身体サイズを問わず、誰でも最適の位置に按摩パッドを位置させ、効果的に按摩を受けることができるなど、その期待される効果が多大な発明である。
【図面の簡単な説明】
【００１９】
【図１】本発明において提供する局所按摩装置が設けられた椅子を示す斜視図である。
【図２】按摩椅子の局所按摩装置の細部構成を示す分解斜視図である。
【図３】按摩椅子の局所按摩装置の結合状態を示す分側断面図である。
【図４】局所按摩装置に用いられる支持部材の構成を示す断面図である。
【図５】ストレッチング機能を有する按摩用椅子に局所按摩装置が設けられた状態を示す斜視図である。
【図６】本発明に係る局所按摩装置のまた他の実施例を示す斜視図である。
【図７】図６の局所按摩装置の設置状態を示す断面図である。
【図８】分離型按摩パッドが用いられた局所按摩装置を示す斜視図である。
【図９】分離型按摩パッドの位置調節方式を示す底面斜視図である。
【図１０】前方マッサージ部と後方マッサージ部を独立して位置調節するためのまた他の実施例を示す底面斜視図と断面図である。
【図１１】分離型按摩パッドにおいて、前後方マッサージ部の高さ調節手段を示す図である。
【図１２】分離型按摩パッドが用いられた局所按摩装置を示す斜視図である。
【図１３】分離型按摩パッドが用いられた局所按摩装置を示す分離斜視図である。
【図１４】分離型按摩パッドが一般の椅子に用いられた状態を示す斜視図である。
【発明を実施するための形態】
【００２０】
以下、添付された図面を参照して、本発明の好適な実施例について詳述する。図１は、本発明において提供する局所按摩装置が設けられた椅子を示す斜視図であって、図示のように、按摩用椅子は、乗降移動式按摩ローラ４０が左右両側に内蔵設置される背板部１０と、使用者が座れる座板部２０と、使用者の足と脚を収容した状態で、エアチューブを収縮または膨張させ、足とふくらはぎにマッサージ機能を与える足踏み板３０と、を備え、前記背板部１０と座板部２０は、按摩椅子の左右の支持フレームに固定及び支持される構造である。
【００２１】
本発明は、前立腺と肛門部位の身体局所部にマッサージ機能を与えるように、座板部２０の中心位置に局所按摩装置１００を内蔵設置したことを特徴とする。
【００２２】
椅子に座ったとき、尻は、座板部２０に支持され、局所部と直接的に接する按摩パッド１１０（図２）のみが、座板部の上に突出して構成されるように、椅子の座板部２０には、中心位置に局所按摩装置１００が内蔵設置されるための設置溝２２が形成される。
【００２３】
図２は、局所按摩装置１００の第一実施例を示す分解斜視図であって、座板部２０の内部に設けられた支え板１２の上側に一定の高さを有する複数個の支持部材１７０が固定結合され、支持部材１７０の上側に按摩パッド結合溝１６１が形成された振動板１６０が固定設置され、結合溝１６１に弾力性樹脂材で構成される按摩パッド１１０が結合される。
【００２４】
振動板１６０には、按摩パッド結合溝１６１が複数個形成されており、按摩パッド１１０の下側に形成された結合突起１１５を適切な位置に結合し、使用者の局所部に接するように位置を変えることができる。
【００２５】
支え板１２と支持部材１７０の結合は、支持部材の下側に設けられた結合ねじ１７１を支え板１２の下部に貫通結合し、ナットを締め付けて行われる。
【００２６】
按摩パッド１１０は、上側の前後方には、ラクダの瘤のように湾曲して突出する前方マッサージ部１１１と後方マッサージ部１１２が設けられる。前方マッサージ部１１１は、会陰部をマッサージするためのものであって、大きく形成され、後方マッサージ部１１２は、肛門部位の括約筋をマッサージするためのものであり、相対的に小さな大きさで形成する。
【００２７】
支え板１２または座板部２０の内部の支持フレームには、偏心モータを用いた振動器１２０が設けられ、振動器１２０の偏心軸１２１を振動板１６０に形成された連結溝１６５に連結させる。振動器１２０は、偏心モータを用いたもの以外に、超音波式または電磁石方式の振動器などの多様な方式を採用してもよい。
【００２８】
支持部材１７０は、上下側に配置される結合ねじ１７１間に、円筒状の支持ゴム１７２を結合して設けられる。
【００２９】
支持ゴム１７２は、支え板１２の上部に振動器１２０により振動する振動板１６０を一定の高さに離隔させたまま、椅子に座る使用者の体重を緩衝支持するとともに、ゴムの弾性により局所部に柔らかい振動を伝えるための構成部材である。
【００３０】
図４は、局所按摩装置に用いられる支持部材の構成を示す断面図であって、上下部結合ねじ１７１と支持ゴム１７２の結合力を強化するために、結合ねじの端部に一体で形成されたねじ頭１７１ａの結合面に凹凸部１７１ｂを形成し、支持部材の上下側に結合される振動板１６０と支え板１２との間で発生する騒音を抑制するように、結合ねじ１７１にゴムワッシャ１７３を貫通して積層して結合されるようにする。
【００３１】
また、騒音と振動が外部に伝えられることを遮断するために、振動器が設けられる周囲に、騒音と振動を吸収のための防振パッドをさらに備えてもよい。
【００３２】
このように、本発明において提供する局所按摩装置１００は、椅子１の座板に設けられ、振動器１２０に電源が供給されると、その軸に連結された振動板１６０と、その上側に結合される按摩パッド１１０が柔らかくて高速で振動され、会陰部と肛門周囲に効果的な振動マッサージを提供する。
【００３３】
また、振動器１２０で発生した振動が振動板１６０に伝えられ、振動板１６０と連結された支持部材１７０が騒音は減らし、振動は吸収緩衝させ、局所部と直接的に接する按摩パッド１１０には、柔軟でかつ緩和した振動が伝えられるようになる効果がある。
【００３４】
また、振動板１６０の振動を支持ゴム１７２が吸収するので、上部には、身体の局所部に振動による刺激を与えられるとともに、下側の支え板１２には、振動エネルギーの伝達が遮断され、この局所按摩装置１００が設置された椅子は、揺れることなく、安定感を維持するようになる。
【００３５】
按摩用椅子に設置する場合、背板部１０の内部に作動する按摩ローラ４０により、腰と背中に加圧マッサージ効果が与えられるとともに、居所部にも振動式按摩が行われ、前立腺疾患の治療、予防、血液循環の改善、またストレス解消に大いに役立ち、マッサージ効果を極大化することができる。
【００３６】
図５は、ストレッチング機能を有する按摩用椅子に局所按摩装置が設けられた状態を示す斜視図であって、背板部１０の内側の按摩ローラ及び座板部２０の按摩パッド１１０の表面に、多数の指圧突起が形成され、さらに刺激的なマッサージ効果を与えることができる。特に、局所按摩装置１００に用いられる按摩パッド１１０には、ツボ指圧効果を高めるために、表面に多様な大きさの指圧ボールが数か所にさらに設けられ、ボール状の突起のみならず、湾曲突出部の表面にしわ状突起を形成してもよいことは、通常の技術者にとっては自明である。
【００３７】
一方、図５では、背板部１０に上半身ストレッチング部５０が設けられ、上半身ストレッチング部５０は、按摩椅子１の背板部１０の後方において、駆動力により乗降作動されるハンドレバー５１を有するものであって、両手でハンドレバー５１を取り、ハンドレバー５１が乗降するとき、上半身の関節と筋肉が弛緩されるストレッチング運動を提供する。
【００３８】
上半身ストレッチング部５０は、レバー乗降モータ６３と、その上部に設けられる固定管体６５と、固定管体６５内でレバー乗降モータ６３の駆動軸に結合されたスクリュー５６の回転により乗降作動する乗降ピン５４と、ハンドレバー５１の中心部において、乗降ピン５４の上部に結合される垂直支持竿５２と、を有する。したがって、レバー乗降モータ６３の正回転、逆回転駆動によりハンドレバー５１が乗降作動する。
【００３９】
また、按摩椅子の背板部１０の下部には、シリンダや電気モータを用いたアクチュエータ７９に連結されて乗降する腰椎支持台７２と、この腰椎支持台７２に取り付けられるクッション７３と、を有する腰椎ストレッチング部７０がさらに設けられ、使用者の腰椎にストレッチング効果を与えることができる。
【００４０】
上述した局所按摩装置１００において、按摩パッド１１０の位置を前後方向に自由に調節するための構成が、図６乃至図７に示されている。
【００４１】
局所按摩装置１００には、振動板１６０の中心部の長手方向に長孔１６３が形成され、底面には、両端が送りねじ支持部１３４に回転可能に設けられた送りねじ１３３がさらに設けられる。
【００４２】
按摩パッド１１０の底面には、下向き突設された送りナット部１３２が設けられ、長孔１６３から送りねじ１３３と結合され、送りねじ１３３の一端には、送りねじを手動または自動で回転させるための送りねじ回転部１３５が設けられる。
【００４３】
送りねじ回転部１３５を回転させ、手動で按摩パッド１１０の位置を調節するが、好ましくは、エンコーダが取り付けられたモータを送りねじ回転部１３５と連結構成し、使用者が椅子１のリモートコントローラ８０または制御板を操作して、按摩パッドの前後進位置を容易に遠隔調節し、これと同様に、振動器１２０の強度や回転速度も、リモートコントローラ８０または制御板で調節することにより、按摩の強度を調節することができる。
【００４４】
使用者の嗜好により、異なる形態や材質の按摩パッド１１０に交替可能に構成してもよい。このため、送りナット部１３２の上部には、送り台１３６が設けられ、この送り台の上に按摩パッド１１０が結合されるようになるが、堅固な結合のため、按摩パッドの底面と送り台１３６の上面には、互いに対応して結合する結合突起と結合溝を形成し、または磁石を設置して磁力により堅固に結合されるようにする。
【００４５】
ヒトの身長のみならず、男女により会陰部と肛門の位置が異なるので、前方マッサージ部１１１と後方マッサージ部１１２を分離して構成し、これらの位置を個別に調節する構成が、図８乃至図１２に示されている。
【００４６】
図８を参照すると、長孔１６３が形成された振動板１６０の底面の前後側に、２つの送りねじ１３３が、送りねじ支持部１３４に回転可能に独立して設けられ、それぞれの送りねじ１３３の端部には、送りねじ回転部１３５が設けられる。
【００４７】
按摩パッド１１０の前方マッサージ部１１１と後方マッサージ部１１２を分離して構成し、前方マッサージ部１１１と後方マッサージ部１１２の底面に、それぞれの送りナット部１３２を有し、これを、振動板１６０の長孔１６３から、別途に前後側の送りねじ１３３と結合されるようにする。
【００４８】
したがって、前後方に位置する送りねじ１３３を個別に回転させ、前方マッサージ部１１１と後方マッサージ部１１２の位置を独立して調節し、使用者の身体に合わせて最適な位置に置いて使うことができる。
【００４９】
送りねじ回転部１３５を按摩用椅子１のひじ掛け部に設置すると、座った姿勢で、便利に位置を調節することができる。図９のように、送りねじ回転部１３５と送りねじ１３３との間に、非線形動力伝達媒体であるケーブル１３７を保護用チューブ１３８内に収納した状態で相互連結すると、遠隔から、前方マッサージ部１１１と後方マッサージ部１１２の位置を正確に調整することができる。
【００５０】
図１０は、分離された前方マッサージ部１１１と後方マッサージ部１１２を独立して位置調節するためのまた他の実施例を示している。
【００５１】
振動板１６０に形成される長孔１６３には、前方マッサージ部１１１と後方マッサージ部１１２の下部にそれぞれ配置される送りナット部１３２が収納される。一つの送りナット部１３２には、内部が中空であり、端部に送りねじ回転部１３５が設けられるスリーブねじ１３１が螺合され、他の一つの送りナット部１３２には、スリーブねじ１３１の内部に自由回転可能に結合される連結軸１３９の一端に設けられる送りねじ１３３が螺合され、連結軸１３９の他端に設けられる送りねじ回転部１３５が回転するとき、位置調節されるようになる。
【００５２】
このように、前方マッサージ部１１１と後方マッサージ部１１２は、個別に前後への位置調節が可能であるだけでなく、図１１に示すように、それぞれの高さを使用者に合わせて調節可能になる。
【００５３】
分割して構成された前方マッサージ部１１１と後方マッサージ部１１２の底面には、それぞれナット１１１ａ、１１２ａが収納され、前方マッサージ部１１１と後方マッサージ部１１２の下部にそれぞれ結合される送り台１３６には、前記ナット１１１ａ、１１２ａに対応して結合される乗降ねじ１４１が回転可能に貫通して構成される。
【００５４】
乗降ねじ１４１の下部には、非線形動力伝達媒体であるケーブル１４２の一端を固定させ、他端には、回転操作用ダイアル１４４が結合され、ダイアル１４４を操作するとき、乗降ねじ１４１が回転すると、これと螺合された前方マッサージ部１１１または後方マッサージ部１１２が独立して乗降するので、使用者の身体特性に応じて高低を便利に調節することができる。
【００５５】
図１２と図１３は、分離型按摩パッドが用いられた局所按摩装置において、按摩パッドの前後位置調節と上下高低調節が可能なように構成された実施例を示している。
【００５６】
振動板１６０の前後側には、一側端部に送り台１３６が設けられた送りねじ１３３がそれぞれ配置され、送りねじ１３３の上には、各送り台１３６を前後へ移動させるための調節ナット１４６が結合される。
【００５７】
送り台１３６は、振動板１６０の中心部の長手方向に形成された長孔１６３にガイドされ、調節ナット１４６の回転操作により前後へ移動するが、各送り台１３６の中心には、乗降ねじ１４１が回転可能に貫通して構成され、乗降ねじ１４１の下側には、乗降ねじ１４１を回転させるためのダイアル１４４がケーブル１４２により連結される。
【００５８】
分割して構成された前方マッサージ部１１１と後方マッサージ部１１２の底面には、それぞれナット１１１ａ、１１２ａが収納され、送り台１３６の上部において、それぞれのナット１１１ａ、１１２ａが乗降ねじ１４１と螺合されるので、ダイアル１４４を回して前方マッサージ部１１１と後方マッサージ部１１２の高さを別途に調節し、また調節ナット１４６を回転させて前後長さの調節が可能になる。
【００５９】
遠隔から、前方マッサージ部１１１と後方マッサージ部１１２の位置を正確に調整するための構成として、各送りねじ１３３は、送りねじ支持部１３４に支持され、それぞれ独立して回転可能に構成され、その代わりに、調節ナット１４６は、回転しないように固定させ、各送りねじ１３３の一端には、ケーブル１３７で連結される送りねじ回転部１３５が設けられる。
【００６０】
前方マッサージ部１１１または後方マッサージ部１１２の乗降作動は、シリンダ装置やモータにより行われることは、当然である。
【００６１】
上述した按摩用椅子１におけると同様に、椅子１の座板部２０内に局所按摩装置が一体で設置されてもよいが、図１４に示すように、中心部に局所按摩装置１００が設置された敷きマット２００を用いると、一般の椅子の上に載せて使い、または床に敷いて使うことができる。
【００６２】
敷きマット２００に座ったとき、尻はマットの上板に支持され、局所部と直接的に接する按摩パッド１１０のみが敷きマット２００の上に突出される。このとき、敷きマット２００の一側には、電源のオン・オフと按摩パッド１１０の位置と高さを制御するためのコントローラ８０が設けられる。
【００６３】
このように構成された本発明は、各種の椅子または敷きマットに設置される局所按摩装置を提供し、身体サイズを問わず、誰でも効果的に按摩を受け、ストレスの解消はもとより、各種の局所部位疾患を予防することのできる、極めて有用な発明である。
【００６４】
本発明の詳細な説明では、本発明の最も好適な実施例について説明したが、本発明の技術範囲を逸脱しない範囲内で様々な変形実施も可能であろう。したがって、本発明の保護範囲は、上記した実施例に限定して定められるものではなく、後述する特許請求の範囲の技術、及びこれらの技術と均等な技術手段にまで認められなければならない。
【符号の説明】
【００６５】
１      椅子
２００  敷きマット
１０    背板部
１２    支え板
２０    座板部
２２    設置溝
３０    足踏み板
４０    乗降移動式按摩ローラ
８０    コントローラ
５０    上半身ストレッチング部
５１    ハンドレバー
５２    垂直支持竿
５３    軸支部
５４    乗降ピン
５５    設置板
５６    スクリュー
６３    レバー乗降モータ
６５    固定管体
７０    腰椎ストレッチング部
７２    腰椎支持台
７３    クッション
７９    アクチュエータ
１００  局所按摩装置
１１０  按摩パッド
１１１  前方マッサージ部
１１２  後方マッサージ部
１１５  結合突起
１２０  振動器
１２１  偏心軸
１３１  スリーブねじ
１３２  送りナット部
１３３  送りねじ
１３４  送りねじ支持部
１３５  送りねじ回転部
１３６  送り台
１３７  ケーブル
１３８  チューブ
１３９  連結軸
１４１  乗降ねじ
１４２  ケーブル
１４３  チューブ
１４４  ダイアル
１４６  調節ナット
１６０  振動板
１６１  按摩パッド結合溝
１６２  ねじ結合溝
１６３  長孔
１６５  連結溝
１７０  支持部材
１７１  結合ねじ
１７１ａ  ねじ頭
１７２  支持ゴム
１７３  ゴムワッシャ
【図１】
2020529300.tif 000003
【図２】
2020529300.tif 000004
【図３】
2020529300.tif 000005
【図４】
2020529300.tif 000006
【図５】
2020529300.tif 000007
【図６】
2020529300.tif 000008
【図７】
2020529300.tif 000009
【図８】
2020529300.tif 000010
【図９】
2020529300.tif 000011
【図１０】
2020529300.tif 000012
【図１１】
2020529300.tif 000013
【図１２】
2020529300.tif 000014
【図１３】
2020529300.tif 000015
【図１４】
2020529300.tif 000016
【国際調査報告】
2020529300.tif 000017
2020529300.tif 000018
2020529300.tif 000019
2020529300.tif 000020